(57)【特許請求の範囲】
【請求項１】
カードが挿入されるハウジングを有し、このハウジングは、挿入された前記カードの一方の面に対向して位置する底板部を含む樹脂製のハウジング本体と、前記挿入されたカードの他方の面に対向して位置する上板部を含む金属製の前記カバー部材とが結合してなるカード用コネクタであって、
前記挿入されたカードの幅方向の移動を規制する前記ハウジングの両側壁部の少なくとも一方が、前記カバー部材の側板部からなり、
前記側板部は前記ハウジング本体の底板部の側面の外方側に対向して位置するとともに、折り曲げ加工により前記ハウジング本体の位置する方向に突出して設けられた突出部を有し、
前記突出部は前記底板部と係合することにより、前記底板部の側面から離れる方向の前記側板部の移動と、前記上板部を前記底板部に近づかせる方向の前記側板部の移動とを阻止する
ことを特徴とするカード用コネクタ。
【請求項２】
請求項１に記載の発明において、
前記突出部は、前記側板部から、前記カードの幅方向に対応する前記ハウジングの幅方向に延びた第１辺部と、この第１辺部の先端に折り曲げ加工により設けられ前記上板部から離れる方向に延びた第２辺部とを有し、
前記底板部には、前記カードの厚さ方向に対応する前記ハウジングの厚さ方向において前記第１辺部と対向する第１係止部と、前記ハウジングの幅方向において前記ハウジング本体の外方側から前記第２辺部と対向する第２係止部とが設けられている
ことを特徴とするカード用コネクタ。
【請求項３】
請求項１または２に記載の発明において、
前記底板部は、前記挿入されたカードの前記一方の面に対向して位置し、前記カバー部材の前記上板部との間で前記カードの厚さ方向の移動を規制する規制面を有し、
前記突出部は、前記カードの厚さ方向に対応する前記ハウジングの厚さ方向において、前記規制面と同一位置、または、その規制面よりも前記カードの前記一方の面から離れた位置に位置する
ことを特徴とするカード用コネクタ。
【請求項４】
請求項１〜３のいずれか１項に記載の発明において、
前記ハウジング内には、前記挿入されたカードの側面に沿って位置し、そのカードを前
記ハウジングに対する挿入方向と逆向きの排出方向に押し動かすことが可能な排出機構が
設けられていて、この排出機構は前記側板部に隣接して位置する
ことを特徴とするカード用コネクタ。
【発明の詳細な説明】
【技術分野】
【０００１】
本発明は、カードが挿入されるハウジングを有し、このハウジングが、挿入されたカードの一方の面に対向して位置する底板部を含む樹脂製のハウジング本体と、挿入されたカードの端子側の他方の面に対向して位置する上板部を含む金属製のカバー部材とが結合してなるカード用コネクタに関する。
【背景技術】
【０００２】
この種の従来のカード用コネクタにおいて、ハウジング本体には、挿入されたカードの側面に対向して位置するよう底板部から突出した側壁部が設けられている。カバー部材は、折り曲げ加工により上板部と一体に設けられた側板部を有し、この側板部は、ハウジング本体の側面にハウジング本体の外方側から対向して位置する。ハウジング本体の側面にはスナップフィット結合のための爪が突出して設けられていて、カバー部材の側板部には、その爪が挿入される孔が設けられている。これにより、カバー部材はハウジング本体に対して、上板部を底板部から離れさせる方向の移動が阻止される状態となっている。
【０００３】
カバー部材の上板部は、ハウジング本体の側壁部の突端に当接することにより、ハウジング本体の底板部に近づく方向の移動が阻止される状態となっている。
【０００４】
カバー部材の上板部には、ハウジング本体の方向に延びた突出部が折り曲げ加工により設けられている。この突出部はハウジング本体の側壁部の突端に圧入されている。これにより、ハウジング本体の側壁部からカバー部材の側板部が離れるカバー部材の変形を防止している。
【０００５】
ここで説明した従来のカード用コネクタについては特許文献１，２を参照されたい。
【特許文献１】特開２００７−４８６０６号公報
【特許文献２】特開２００７−１５７３５６号公報
【発明の開示】
【発明が解決しようとする課題】
【０００６】
ところで、カード用コネクタに対しては、カードの幅方向に対応するハウジングの幅方向の寸法（以下「幅寸法」という）の短縮化が要望されている。
【０００７】
そこで、前述した従来のカード用コネクタにおいて、ハウジング本体の少なくとも一方の側壁部を取り除き、カバー部材の側板部をハウジングの側壁部として、ハウジング本体の幅寸法を短縮することが考えられる。しかし、そのようにハウジング本体から側壁部を取り除くと、カバー部材の上板部がハウジング本体の底板部に近づく方向の移動を阻止できなくなる。さらに、カバー部材の上板部に設けられた突出部を圧入する個所がなくなって、ハウジング本体の側壁部からカバー部材の側板部が離れるカバー部材の変形を防止できなくなる。これらの結果、ハウジングの変形に対する強度の確保が困難となる。
【０００８】
本発明は前述の事情を考慮してなされたものであり、その目的は、ハウジングの幅寸法の短縮化と、ハウジングの変形に対する強度の確保とを両立させることができるカード用コネクタを提供することにある。
【課題を解決するための手段】
【０００９】
本発明のカード用コネクタは前述の目的を達成するために次のように構成されている。
【００１０】
〔１〕  本発明は、カードが挿入されるハウジングを有し、このハウジングは、挿入された前記カードの一方の面に対向して位置する底板部を含む樹脂製のハウジング本体と、前記挿入されたカードの他方の面に対向して位置する上板部を含む金属製の前記カバー部材とが結合してなるカード用コネクタであって、前記挿入されたカードの幅方向の移動を規制する前記ハウジングの両側壁部の少なくとも一方が、前記カバー部材の側板部からなり、前記側板部は前記ハウジング本体の底板部の側面の外方側に対向して位置するとともに、折り曲げ加工により前記ハウジング本体の位置する方向に突出して設けられた突出部を有し、前記突出部は前記底板部と係合することにより、前記底板部の側面から離れる方向の前記側板部の移動と、前記上板部を前記底板部に近づかせる方向の前記側板部の移動とを阻止することを特徴とする。
【００１１】
この「〔１〕」に記載の本発明によれば、ハウジングの側壁がカバー部材の側板部からなるので、ハウジングの幅寸法を短縮化することができる。
【００１２】
さらに、「〔１〕」に記載の本発明によれば、カバー部材の側板部に設けられた突出部が、底板部の側面から離れる方向の側板部の移動と、上板部を底板部に近づかせる方向の側板部の移動とを阻止するので、ハウジングの変形に対する強度を確保することができる。
【００１３】
〔２〕  本発明は「〔１〕」に記載の発明において、前記突出部は、前記側板部から、前記カードの幅方向に対応する前記ハウジングの幅方向に延びた第１辺部と、この第１辺部の先端に折り曲げ加工により設けられ前記上板部から離れる方向に延びた第２辺部とを有し、前記底板部には、前記カードの厚さ方向に対応する前記ハウジングの厚さ方向において前記第１辺部と対向する第１係止部と、前記ハウジングの幅方向において前記ハウジング本体の外方側から前記第２辺部と対向する第２係止部とが設けられていることを特徴とするものであってもよい。
【００１４】
この「〔２〕」に記載の本発明では、上板部を底板部に近づかせる方向の側板部の移動は、第１辺部が第１係止部に引っ掛かることにより阻止される。また、底板部の側面から離れる方向の側板部の移動は、第２辺部が第２係止部に引っ掛かることにより阻止される。つまり、「〔２〕」に記載の本発明によれば、底板部の側面から離れる方向の側板部の移動と、上板部を底板部に近づかせる方向の側板部の移動との阻止を、突出部により確実に行うことができる。
【００１５】
〔３〕  本発明は「〔１〕」または「〔２〕」に記載の発明において、前記底板部は、前記挿入されたカードの前記一方の面に対向して位置し、前記カバー部材の前記上板部との間で前記カードの厚さ方向の移動を規制する規制面を有し、前記突出部は、前記カードの厚さ方向に対応する前記ハウジングの厚さ方向において、前記規制面と同一位置、または、その規制面よりも前記カードの前記一方の面から離れた位置に位置することを特徴とするものであってもよい。
【００１６】
この「〔３〕」に記載の本発明は、カードの厚さ方向の移動をカバー部材の上板部と規制面と間で規制してハウジングへのカードの挿入およびハウジングからのカードの抜取りを円滑に行わせることができるようにしつつ、突出部がカードのハウジング内での移動の障害になることを確実に防止することができる。
【００１７】
〔４〕  本発明は、「〔１〕」〜「〔３〕」のいずれか１項に記載の発明において、前記ハウジング内には、前記挿入されたカードの側面に沿って位置し、そのカードを前記ハウジングに対する挿入方向と逆向きの排出方向に押し動かすことが可能な排出機構が設けられていて、この排出機構は前記側板部に隣接して位置することを特徴とするものであってもよい。
【００１８】
このように構成された本発明は、ハウジングからのカードの抜き取りを排出機構により行いやすくすることができる。また、排出機構は、ハウジングの側壁部を形成しているカバー部材の側板部に隣接しているので、その側壁部がハウジング本体に設けられていて排出機構とカバー部材の側板部との間に介在している場合と比較して、排出機構とカードとの寸法誤差を小さくしやすい。
【発明の効果】
【００１９】
本発明によれば、前述のように、ハウジングの幅寸法の短縮化と、ハウジングの変形に対する強度の確保とを両立させることができる。
【発明を実施するための最良の形態】
【００２０】
本発明の一実施形態に係るカード用コネクタついて図を用いて説明する。
【００２１】
図１は本発明の一実施形態に係るカード用コネクタの斜視図である。図２は図１に示されたカード用コネクタに挿入されるカードの３面図であり、（ａ）は上面図、（ｂ）は右側面図、（ｃ）は下面図である。図３は図１に示されたカード用コネクタの５面図であり、（ａ）は上面図、（ｂ）は前面図、（ｃ）は背面図、（ｄ）は左側面図、（ｅ）は右側面図である。図４は図１に示されたハウジング本体の５面図であり、（ａ）は上面図、（ｂ）は前面図、（ｃ）は背面図、（ｄ）は左側面図、（ｅ）は右側面図である。図５は図１に示されたカバー部材の５面図であり、（ａ）は上面図、（ｂ）は前面図、（ｃ）は背面図、（ｄ）は左側面図、（ｅ）は右側面図である。図６は図２のVI−VI断面図である。図７は図６のVII部拡大図である。図８は図２のVIII−VIII断面図である。図９は図７のＩX部拡大図である。図１０は図４（ａ）に示されたハウジング本体の左縁部の拡大図である。図１１は図３（ａ）に示されたカード用コネクタからカバー部材を取り除いた状態の図である。
【００２２】
図１に示すように、本実施形態に係るカード用コネクタ１の外形は、ハウジング２により形成されている。このハウジング２は、図２に示すカード２０の挿入口２ａが形成されている。図２（ｃ）に示すように、カード２０の一方の面には、複数の端子２１がカード２０の幅方向（図２（ｃ）の左右方向）に並列して露出している。これらの端子２１は、カード２０のハウジング２に対する挿入方向の前端側に配置されている。また、カード２０の右側部には、切欠き２２が設けられている。
【００２３】
図１，図３に示すように、ハウジング２は、樹脂製のハウジング本体３と、金属製のカバー部材４とが結合してなる。図４に示すように、ハウジング本体３は、ハウジング２に挿入されたカード２０の端子２１側の面に対向して位置する底板部３ａと、ハウジング２に挿入されたカード２０の前端部に対向する前端壁部３ｂとを有する。底板部３ａには、カード２０の複数の端子２１に対応して複数並列して端子５が設けられている。これらの端子５は底板部３ａに片持ち梁状の板バネ状からなり、カード２０の厚さ方向に対応するハウジング２の厚さ方向（図３（ｅ）の左右方向）の可撓性を有し、底板部３ａからハウジング２内に突出している。
【００２４】
図１，図５に示すように、カバー部材４は、ハウジング２に挿入されたカード２０の他方の面、すなわち端子２１側の裏側の面と対向して位置する上板部４ａと、ハウジング本体３の前端壁部３ｂにハウジング本体３の外方側から対向して位置する前板部４ｂ，４ｃと、ハウジング本体３の底板部３ａの左側面にハウジング本体３の外方側から対向して位置する左側板部４ｄと、底板部３ａの右側面にハウジング本体３の外方側から対向して位置する右側板部４ｅとを有する。これら上板部４ａ、前板部４ｂ，４ｃ、左側板部４ｄおよび右側板部４ｅは金属板の折り曲げ加工により一体に形成されている。左側板部４ｄは、ハウジング２に挿入されたカード２０の左方向の移動を規制するハウジング２の左側壁を形成している。右側板部４ｅはハウジング２の右側壁を形成している。
【００２５】
図４（ａ）に示すように、ハウジング本体３の底板部３ａには、ハウジング２に挿入されたカード２０の端子２１側の面に対向して位置し、カバー部材４の上板部４ａとの間でカード２０の厚さ方向の移動を規制する規制面３ｃ，３ｄが形成されている。
【００２６】
図６，図７に示すように、ハウジング２の左側部には、ハウジング本体３とカバー部材４とをスナップフィット結合させる結合部６Ａが設けられている。この結合部６Ａは、ハウジング本体３の底板部３ａの左側面に突出して設けられた爪６ａ（図４（ｄ）参照）と、カバー部材４の左側板部４ｄに設けられていて爪６ａが挿入されている係止孔６ｂ（図５（ｄ）参照）とからなる。この結合部６Ａは、ハウジング２の左側部の複数個所、例えば図３（ｄ）に示すように、ハウジング２の左側部の前端側、後端側および中間部の３箇所に設けられている。これらの結合部６Ａにおいて、係止孔６ｂの縁が爪６ａに引っ掛かることにより、ハウジング本体３の底板部３ａの左側面に対するカバー部材４の左側板部４ｄの、上板部４ａを底板部３ａから離れさせる方向の移動（図６の上方向）、および、前後方向の移動が、阻止されるようになっている。また、図３（ｅ）に示すように、結合部６Ａと同様の構成の結合部６Ｂが、ハウジング２の右側部の前端側、後端側および中間部の３箇所にも設けられていて、これらの結合部６Ｂにより、ハウジング本体３の底板部３ａの右側面に対するカバー部材４の右側板部４ｅの、上板部４ａを底板部３ａから離れさせる方向の移動、および、前後方向の移動が、阻止されるようになっている。つまり、ハウジング２では、３つの結合部６Ａと３つの結合部６Ｂとによって、上板部４ａを底板部３ａから離れさせる方向のハウジング本体３に対するカバー部材４の移動、および、ハウジング本体３に対するカバー部材４の前後方向の移動が阻止される状態となっている。
【００２７】
図５（ｃ），図８，図９に示すように、カバー部材４の左側板部４ｄは、折り曲げ加工よりハウジング本体３の方向（図５（ｃ），図８，図９の右方向）に突出して設けられた突出部４ｆを有する。この突出部４ｆは、カバー部材４の左側板部４ｄから、カード２０の幅方向に対応するハウジング２の幅方向（図５（ｃ），図８，図９の左右方向）に延びた第１辺部４ｆ１と、この第１辺部４ｆ１の先端に折り曲げ加工により設けられカバー部材４の上板部４ａから離れる方向（図５（ｃ），図８，図９の下方向）に延びた第２辺部４ｆ２とを有する。
【００２８】
図９，１０に示すように、ハウジング本体３の底板部３ａの左側縁部には、カード２０の厚さ方向に対応するハウジング２の厚さ方向（図９の上下方向）の深さを有する係合溝３ｅが形成されている。この係合溝３ｅは、底板部３ａの規制面３ｃ，３ｄよりもカバー部材４の上板部４ａから離れて位置する第１底面３ｅ１と、この第１底面３ｅ１よりもハウジング２の内側に形成され、第１底面３ｅ１よりも上板部４ａから離れて位置する第２底面３ｅ２とを有する。第１底面３ｅ１はハウジング２の厚さ方向において第１辺部４ｆ１と対向して位置する。第２底面３ｅ２は第２辺部４ｆ２の先端と対向して位置する。第２底面３ｅ２と第１底面３ｅ１との間に立ち上がった壁面３ｅ３は、ハウジング２の幅方向においてカバー部材４の第２辺部４ｆ２の外方側から第２辺部４ｆ２と対向して位置する。なお、第１底面３ｅ１は「課題を解決するための手段」の欄の「〔２〕」に記載の第１係止部に対応するものであり、壁面３ｅ３は同第２係止部に対応するものである。
【００２９】
上板部４ａをハウジング本体３の底板部３ａに近づかせる方向（図９の下方向）のカバー部材４の左側板部４ｄの移動は、第１辺部４ｆ１が第１底面３ｅ１（第１係止部）に引っ掛かることにより阻止される。また、ハウジング本体３の底板部３ａの左側面から離れる方向（図９の左方向）のカバー部材４の左側板部４ｄの移動は、第２辺部４ｆ２が壁面３ｅ３（第２係止部）に引っ掛かることにより阻止される。つまり、突出部４ｆはハウジング本体３の底板部３ａと係合することにより、ハウジング本体３の底板部３ａの左側面から離れる方向のカバー部材４の左側板部４ｄの移動と、カバー部材４の上板部４ａをハウジング本体３の底板部３ａに近づかせる方向のカバー部材４の左側板部４ｄの移動とを阻止している。
【００３０】
突出部４ｆは、ハウジング２の厚さ方向において、それらの規制面３ｃ，３ｄよりもカード２０の端子２１側の面から離れた位置に配置されている。
【００３１】
突出部４ｆと係合溝３ｅとの組合せは、ハウジング２の左側部の複数個所、例えば２個所、結合部６Ａと交互に並んで設けられている。
【００３２】
図１１に示すように、ハウジング２内の右側には、ハウジング２内でカード２０を挿入方向と逆向きの排出方向に押し動かすことが可能な排出機構１０が設けられている。この排出機構１０は、ハウジング２内をカード２０の挿入方向および排出方向に移動可能なスライダ１１を有する。このスライダ１１は、カード２０の挿入方向の前端部に前方から当接可能な前側当接部１１ａと、カード２０の右側部に当接可能な右側当接部１１ｂとを有し、カバー部材４の右側板部４ｅに隣接して配置されている。スライダ１１とハウジング本体３の前端壁部３ｂとの間には、スライダ１１を所定のカード排出位置（図１１に示す位置）の方向に付勢するコイルスプリング１２が設けられている。なお、スライダ１１は、ハウジング２の右側部において、カバー部材４の上板部４ａがハウジング本体３の底板部３ａに近づく方向の移動を規制し、これにより、カバー部材４の右側板部４ｅの同方向における移動が間接的に規制されている。また、ハウジング２に挿入されたカード２０は、スライダ１１の右側当接部１１ｂとカバー部材４の左側板部４ｄとの間で幅方向の移動を規制されるようになっている。
【００３３】
スライダ１１の後端部からは、ハウジング２の幅方向の可撓性を有する片持ち梁状の板バネ１１ｃが延びている。この板バネ１１ｃは、折り曲加工によりハウジング２の内側に向って突出した屈曲部１１ｃ１を有する。この屈曲部１１ｃ１は、ハウジング２へのカード２０の挿入の際、カード２０に押し退けられて右方向に撓み、スライダ１１の前側当接部１１ａにカード２０が当接したときに復帰してカード２０の切欠き２２に挿入されるようになっている。カード２０の切欠き２２に屈曲部１１ｃ１が挿入されることにより、スライダ１１に対するカード２０の排出方向の移動が規制される。なお、スライダ１１に対するカード２０の移動の規制を解除する解除機構については図示および説明を省略する。
【００３４】
また、スライダ１１は、ハート型カム機構１３により、コイルスプリング１２の付勢力（弾性力）に抗してスライダ１１を所定のカード装着位置（図１４参照）にロックすること、および、このロックを解除することが可能になっている。そのハート型カム機構１３は、ハウジング本体３の前端壁部３ｂに一端が保持されてハウジング２の幅方向に回動可能なピン１３ａと、スライダ１１に形成されピン１３ａの他端が挿入されたハート型カム溝１３ｂと、ピン１３ａをハート型カム溝１３ｂの底面に弾性的に押し付ける片持ち梁状の板バネ１３ｃ（図３等に示す）とを有する。このハート型カム機構１３によって排出機構１０は、スライダ１１をロックさせるための操作と、そのロックを解除するための操作との両方がスライダ１１の挿入方向のプッシュ操作であるプッシュプッシュ操作式となっている。
【００３５】
本実施形態に係るカード用コネクタ１の動作について図１２〜図１４を用いて説明する。図１２は排出機構のスライダがカード排出位置に保持されている状態を、カバー部材を取り除いて示す上面図である。図１３は排出機構のスライダがカード装着位置を通過して挿入方向の限界位置に達した状態を、カバー部材を取り除いて示す上面図である。図１４は排出機構のスライダがカード装着位置に保持されている状態を、カバー部材を取り除いて示す上面図である。
【００３６】
カード２０がハウジング２に挿入される前、ハウジング２内においてスライダ１１はハート型カム機構１３によりカード排出位置に保持されている。この状態のカード用コネクタ１にカード２０を装着する際、ユーザーは、まず、図１２に示すようにカード２０をその前端部がスライダ１１の前側当接部１１ａに当接する位置まで挿入する。これにより、カード２０の切欠き２２に板バネ１１ｃの屈曲部１１ｃ１が挿入され、スライダ１１に対するカード２０の排出方向の移動、すなわちハウジング２に対するカード２０の排出方向の移動が阻止される状態となる。
【００３７】
次に、ユーザーはカード２０をスライダ１１とともにコイルスプリング１２の付勢力に抗して押し込み、スライダ１１を図１３に示す限界位置に到達させる。
【００３８】
最後に、ユーザーはカード２０に対する挿入方向の押圧を止める。これに伴い、スライダ１１はコイルスプリング１２により限界位置からカード装着位置に押し戻される。このとき、ハート型カム機構１３によりスライダ１１が排出方向の移動を阻止され、すなわち、ロックされ、図１４に示すように、ハウジング２に対するカード２０の装着が完了する。
【００３９】
図１４に示す状態のカード用コネクタ１からカード２０を取り出す際、ユーザーはカード２０をスライダ１１とともに限界位置まで押し込む。これにより、ハート型カム機構１３によるスライダ１１のロックが解除される。その後、ユーザーはカード２０に対する挿入方向の押圧を止める。これに伴い、スライダ１１はカード２０とともにコイルスプリング１２によりカード排出位置に押し戻されて、図１２に示す状態となる。この状態において、板バネ１１ｃの屈曲部１１ｃ１を、図示しない解除機構によりカード２０の切欠き２２から離脱させ、ハウジング２からカード２０を排出方向に引けば、ハウジング２からカード２０を抜き取ることができる。
【００４０】
本実施形態に係るカード用コネクタ１によれば次の効果を得られる。
【００４１】
カード用コネクタ１によれば、ハウジング２の左側壁がカバー部材４の左側板部４ｄからなるので、ハウジング２の幅寸法を短縮化することができる。
【００４２】
カード用コネクタ１によれば、カバー部材４の左側板部４ｄに設けられた突出部４ｆが、ハウジング本体３の底板部３ａの左側面から離れる方向の左側板部４ｄの移動と、カバー部材４の上板部をハウジング本体３の底板部に近づかせる方向の左側板部４ｄの移動とを阻止するので、ハウジング２の変形に対する強度を確保することができる。
【００４３】
カード用コネクタ１では、カバー部材４の上板部４ａをハウジング本体３の底板部３ａに近づかせる方向のカバー部材４の左側板部４ｄの移動は、第１辺部４ｆ１がハウジング本体３の係合溝３ｅの第１底面（第１係止部）に引っ掛かることにより阻止される。また、ハウジング本体３の底板部３ａの左側面から離れる方向のカバー部材４の左側板部４ｄの移動は、第２辺部４ｆ２が係合溝３ｅの壁面３ｅ３（第２係止部）に引っ掛かることにより阻止される。これにより、ハウジング本体３の底板部３ａの左側面から離れる方向のカバー部材４の左側板部４ｄの移動と、カバー部材４の上板部をハウジング本体３の底板部３ａに近づかせる方向のカバー部材４の左側板部４ｄの移動との阻止を、突出部４ｆにより確実に行うことができる。
【００４４】
カード用コネクタ１は、カバー部材４の上板部４ａとの間でカード２０の厚さ方向の移動を規制する規制面３ｃ，３ｄを有する。そして、突出部４ｆはハウジング２の厚さ方向において、それらの規制面３ｃ，３ｄよりもカード２０の他方の面から離れて位置する。これにより、カード２０の厚さ方向の移動をカバー部材４の上板部４ａと規制面３ｃ，３ｄと間で規制してハウジング２へのカード２０の挿入およびハウジング２からのカード２０の抜取りを円滑に行わせることができるようにしつつ、突出部４ｆがカード２０のハウジング２内での移動の障害になることを確実に防止することができる。
【００４５】
カード用コネクタ１では、排出機構１０はハウジング２の右側壁部を形成しているカバー部材４の右側板部４ｅに隣接しているので、その右側壁部がハウジング本体３に設けられていて排出機構１０とカバー部材４の右側板部４ｅとの間に介在している場合と比較して、排出機構１０とカード２０との寸法誤差を小さくしやすい。
【００４６】
なお、前述の実施形態に係るカード用コネクタ１では、カバー部材４に設けられた突出部４ｆが第１辺部４ｆ１と第２辺部４ｆ２とを有して全体として屈曲した形状であり、ハウジング本体３の底板部３ａにその突出部４ｆを係合させる係合溝３ｅが設けられているが、本発明における突出部と底板部との係合関係はこれに限定されるものではない。例えば、突出部がハウジング２の外方側から内方側に向ってカバー部材４から離れる方向に傾斜した直線状であって、底板部３ａの左側面に差し込まれていてもよい。
【００４７】
また、前述の実施形態に係るカード用コネクタ１では、突出部４ｆは、ハウジング２の厚さ方向において、それらの規制面３ｃ，３ｄよりもカード２０の端子２１側の面から離れた位置に配置されているが、突出部４ｆの第１辺部４ｆ１は、ハウジング２の厚さ方向において規制面３ｃ，３ｄと同一位置に配置されていてもよい。
【図面の簡単な説明】
【００４８】
【図１】本発明の一実施形態に係るカード用コネクタの斜視図である。
【図２】図１に示されたカード用コネクタに挿入されるカードの３面図であり、（ａ）は上面図、（ｂ）は右側面図、（ｃ）は下面図である。
【図３】図１に示されたカード用コネクタの５面図であり、（ａ）は上面図、（ｂ）は前面図、（ｃ）は背面図、（ｄ）は左側面図、（ｅ）は右側面図である。
【図４】図１に示されたハウジング本体の５面図であり、（ａ）は上面図、（ｂ）は前面図、（ｃ）は背面図、（ｄ）は左側面図、（ｅ）は右側面図である。
【図５】図１に示されたカバー部材の５面図であり、（ａ）は上面図、（ｂ）は前面図、（ｃ）は背面図、（ｄ）は左側面図、（ｅ）は右側面図である。
【図６】図２のVI−VI断面図である。
【図７】図６のVII部拡大図である。
【図８】図２のVIII−VIII断面図である。
【図９】図７のＩX部拡大図である。
【図１０】図４（ａ）に示されたハウジング本体の左縁部の拡大図である。
【図１１】図３（ａ）に示されたカード用コネクタからカバー部材を取り除いた状態の図である。
【図１２】排出機構のスライダがカード排出位置に保持されている状態を、カバー部材を取り除いて示す上面図である。
【図１３】排出機構のスライダがカード装着位置を通過して挿入方向の限界位置に達した状態を、カバー部材を取り除いて示す上面図である。
【図１４】排出機構のスライダがカード装着位置に保持されている状態を、カバー部材を取り除いて示す上面図である。
【符号の説明】
【００４９】
１  カード用コネクタ
２  ハウジング
２ａ  挿入口
３  ハウジング本体
３ａ  底板部
３ｂ  前端壁部
３ｃ，３ｄ  規制面
３ｅ  係合溝
３ｅ１  第１底面
３ｅ２  第２底面
３ｅ３  壁面
４  カバー部材
４ａ  上板部
４ｂ，４ｃ  前板部
４ｄ  左側板部
４ｅ  右側板部
４ｆ  突出部
４ｆ１  第１辺部
４ｆ２  第２辺部
５  端子
６Ａ，６Ｂ  結合部
６ａ  爪
６ｂ  係止孔
１０  排出機構
１１  スライダ
１１ａ  前側当接部
１１ｂ  右側当接部
１１ｃ  板バネ
１１ｃ  屈曲部
１２  コイルスプリング
１３  ハート型カム機構
１３ａ  ピン
１３ｂ  ハート型カム溝
１３ｃ  板バネ
２０  カード
２１  端子
２２  切欠き
【図１】
0004494494.tif 000002
【図２】
0004494494.tif 000003
【図３】
0004494494.tif 000004
【図４】
0004494494.tif 000005
【図５】
0004494494.tif 000006
【図６】
0004494494.tif 000007
【図７】
0004494494.tif 000008
【図８】
0004494494.tif 000009
【図９】
0004494494.tif 000010
【図１０】
0004494494.tif 000011
【図１１】
0004494494.tif 000012
【図１２】
0004494494.tif 000013
【図１３】
0004494494.tif 000014
【図１４】
0004494494.tif 000015